(57)【要約】    【課題】  ゴースト光をより確実に除去する、または十分に低減することのできる光走査装置及びそれを用いた画像形成装置を得ること。    【解決手段】  光源手段から出射された光束を偏向手段の偏向面で偏向走査し、被走査面に結像する結像光学系と、を有する光走査装置であって、副走査断面内において、偏向手段の偏向面に入射する光束は、結像光学系の光軸に対して斜め方向から前記偏向面に入射されており、偏向面と被走査面との間の光路中にゴースト光を遮光する遮光部材を配置しており、遮光部材の構成及び遮光部材の副走査方向の形状を適切に設定したこと。【選択図】    図１
2010224552.tif 000002
【特許請求の範囲】
【請求項１】
光源手段と、前記光源手段から出射された光束を偏向手段の偏向面に導光する入射光学系と、前記偏向手段の偏向面で偏向走査された光束を被走査面上に結像させる結像光学系と、を有する光走査装置であって、
副走査断面内において、前記偏向手段の偏向面に入射する光束は、前記結像光学系の光軸に対して斜め方向から前記偏向面に入射されており、
前記偏向面と前記被走査面との間の光路中にゴースト光を遮光する遮光部材を配置しており、かつ、
前記遮光部材の副走査方向の端部は、主走査方向の位置に応じて、副走査方向の高さが変化する湾曲形状で形成されており、かつ、
前記湾曲形状は、前記結像光学系の光軸との交点を中心としたとき、主走査方向において軸外に向うに従い、前記偏向手段の偏向面に入射する光束の軸上偏向点を含む前記偏向手段の回転軸に垂直な平面と前記遮光部材の副走査方向の端部との間隔が大きくなる方向に湾曲しており、かつ、
前記遮光部材は、前記遮光部材の副走査方向の端部のうち上側の副走査方向の端部を備えた上側遮光部材と、前記遮光部材の副走査方向の端部のうち下側の副走査方向の端部を備えた下側遮光部材から構成され、
前記上側遮光部材及び前記下側遮光部材は、前記光走査装置を保持する光学箱に一体成型されており、
前記上側遮光部材及び前記下側遮光部材は、前記結像光学系の光軸方向に対する位置をずらして配置されていることを特徴とする光走査装置。
【請求項２】
請求項１に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【発明の詳細な説明】
【技術分野】
【０００１】
本発明は光走査装置及びそれを用いた画像形成装置に関し、電子写真プロセスを有するレーザービームプリンタやデジタル複写機やマルチファンクションプリンタ（多機能プリンタ）の画像形成装置に好適なものである。
【背景技術】
【０００２】
従来よりレーザービームプリンター（ＬＢＰ）やデジタル複写機の走査光学系においては画像信号に応じて光源手段から光変調され出射した光束を、回転多面鏡（ポリゴンミラー）より成る光偏向器により周期的に偏向させている。そして偏向された光束をｆθ特性を有する結像光学系によって感光性の記録媒体（感光ドラム）面上にスポット状に集束させ、その面上を光走査して画像記録を行っている。
【０００３】
近年、レーザービームプリンタやデジタル複写機やマルチファンクションプリンタの画像形成装置では、高画質化が望まれている。画像を劣化させる一つの原因として画像形成に不要なゴースト光（反射光）が挙げられる。
【０００４】
従来より、このゴースト光を除去する光走査装置が種々と提案されている（特許文献１参照）。
【０００５】
特許文献１は被走査面で反射されたゴースト光が回転多面鏡（ポリゴンミラー）へ再入射し、再び偏向反射されて被走査面に入射するのを防ぐために結像光学系内に遮光部材としての遮光板を設けている。
【０００６】
この遮光板は画像を形成するための有効光束（実光束）は遮光せずに、ゴースト光のみを遮光するために、有効光束の通過する副走査方向の高さに対して、副走査方向に特定量離れた位置に配置されている。
【０００７】
また特許文献１に開示されている遮光板の形状は、一般的な直線状（平板状）、または曲線状よりなっている。
【０００８】
尚、本明細書において、「ゴースト光」とは光偏向器の偏向面で反射し、結像光学系の面や他の面で反射せず、該結像光学系を通過し、被走査面上に入射する光束以外の光であって、かつ被走査面の有効走査領域に入射する光束を言う。
【０００９】
尚、後述する本発明の実施例１の図１に示すような複数の光走査装置があるときは、一方の光走査装置における光束が結像光学系の面や他の面で反射して、他方の光走査装置に入射して他方の光走査装置の被走査面に入射する光束も含まれる。
【００１０】
また「有効光束」とは偏向手段の偏向面で反射し、結像光学系の面で反射せず、透過し、被走査面の有効走査領域に入射する光束を言う。
【先行技術文献】
【特許文献】
【００１１】
【特許文献１】特開２０００-１９３９０３号公報
【発明の概要】
【発明が解決しようとする課題】
【００１２】
特許文献１では、ゴースト光がより有効光束に近い位置を通過するような光学系の場合、ゴースト光を十分に遮光することができない。以下にその理由を述べる。
【００１３】
特許文献１では、装置全体をコンパクト化するために、副走査断面内において偏向手段の偏向面に入射する光束を、該偏向面の法線に対して斜め方向から入射（斜入射）させている。このため、平板形状である遮光板上を通過時の有効光束の走査軌跡は湾曲形状となる。
【００１４】
図１１Ａ、Ｂは、各々結像光学系の光軸方向から見たときの遮光板上での画像形成に使用する有効光束の通過領域(走査軌跡)（実線）、ゴースト光の通過領域(点線)、遮光板の副走査方向の端部形状を表したグラフ（説明図）である。図１１Ａは有効光束の通過領域の下側（図面上、下側）に遮光板91を配置したときの説明図、図１１Ｂは有効光束の通過領域の上側（図面上、上側）に遮光板91を配置したときの説明図である。
【００１５】
図１１Ａ、Ｂに示すように走査軌跡が湾曲している有効光束（通過領域）に対してゴースト光が近接した位置（あるいは有効光束の通過領域の一部）を通過する場合、特許文献１では以下に示す問題点がある。
【００１６】
(1)副走査方向の端部が直線状の遮光板91では、該遮光板91の副走査方向の高さをどのように変えても、主走査方向の端部で有効光束を遮光してしまう、
(2)主走査方向の中央部でゴースト光を遮光することができない。
【００１７】
つまり特許文献１のように副走査方向の端部が直線状の遮光板91では、有効走査領域(印字領域)の全領域において、有効光束をケラずに、かつゴースト光を十分に遮光することができないという問題点がある。
【００１８】
また遮光板91上を通過時の有効光束の湾曲形状は、副走査断面内における偏向面への斜入射角度、結像光学系内での遮光板91の配置位置、遮光板91よりも偏向手段側に配置された結像光学素子の面形状によって変化する。しかしながら特許文献１では、遮光板91の副走査断面内の形状をどのような曲線にするか言及していない。
【００１９】
よって、特許文献１から有効走査領域の全領域において有効光束をケラずに、かつゴースト光を十分に遮光することができる遮光板の形状を得ることはできない。つまり、特許文献１ではゴースト光がより有効光束に近接する位置を通過する光学系で実施する場合、ゴースト光を十分に遮光することができないという問題点がある。
【００２０】
本発明はゴースト光をより確実に除去する、または十分に低減することのできる光走査装置及びそれを用いた画像形成装置の提供を目的とする。
【課題を解決するための手段】
【００２１】
請求項１の発明の光走査装置は、光源手段と、前記光源手段から出射された光束を偏向手段の偏向面に導光する入射光学系と、前記偏向手段の偏向面で偏向走査された光束を被走査面上に結像させる結像光学系と、を有する光走査装置であって、
副走査断面内において、前記偏向手段の偏向面に入射する光束は、前記結像光学系の光軸に対して斜め方向から前記偏向面に入射されており、
前記偏向面と前記被走査面との間の光路中にゴースト光を遮光する遮光部材を配置しており、かつ、
前記遮光部材の副走査方向の端部は、主走査方向の位置に応じて、副走査方向の高さが変化する湾曲形状で形成されており、かつ、
前記湾曲形状は、前記結像光学系の光軸との交点を中心としたとき、主走査方向において軸外に向うに従い、前記偏向手段の偏向面に入射する光束の軸上偏向点を含む前記偏向手段の回転軸に垂直な平面と前記遮光部材の副走査方向の端部との間隔が大きくなる方向に湾曲しており、かつ、
前記遮光部材は、前記遮光部材の副走査方向の端部のうち上側の副走査方向の端部を備えた上側遮光部材と、前記遮光部材の副走査方向の端部のうち下側の副走査方向の端部を備えた下側遮光部材から構成され、
前記上側遮光部材及び前記下側遮光部材は、前記光走査装置を保持する光学箱に一体成型されており、
前記上側遮光部材及び前記下側遮光部材は、前記結像光学系の光軸方向に対する位置をずらして配置されていることを特徴としている。
【００２２】
請求項２の発明の画像形成装置は、請求項１に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【発明の効果】
【００２３】
本発明によればゴースト光をより確実に除去する、または十分に低減することのできる、高精細で高画質の画像を形成することができる小型の光走査装置及びそれを用いた画像形成装置を達成することができる。
【図面の簡単な説明】
【００２４】
【図１】本発明の実施例１の主走査断面図
【図２Ａ】本発明の実施例１の副走査断面図
【図２Ｂ】図２Ｂの一部分の拡大図
【図３】本発明の実施例１の入射光学系の副走査断面図
【図４】本発明の実施例１のゴースト光の説明図
【図５Ａ】本発明の実施例１の上側遮光板上の有効光束通過領域ゴースト光の通過領域を示した説明図
【図５Ｂ】本発明の実施例１の下側遮光板上の有効光束通過領域ゴースト光の通過領域を示した説明図
【図６Ａ】本発明の実施例１の上側遮光板上の形状を示した説明図
【図６Ｂ】本発明の実施例１の上側遮光板上の形状を示した説明図
【図７】本発明の実施例１の遮光板上の有効光束の走査軌跡を表す説明図
【図８】本発明の実施例２の主走査断面図
【図９】本発明の実施例２の副走査断面図
【図１０】本発明の実施例２の遮光板上の有効光束通過領域、ゴースト光の通過領域を示した説明図
【図１１Ａ】従来の上側遮光板上の有効光束通過領域ゴースト光の通過領域を示した説明図
【図１１Ｂ】従来の下側遮光板上の有効光束通過領域ゴースト光の通過領域を示した説明図
【図１２】本発明の実施例の画像形成装置の要部概略図
【図１３】本発明の実施例のカラー画像形成装置の要部概略図
【発明を実施するための形態】
【００２５】
以下、図面を用いて本発明の実施例を説明する。
【００２６】
［実施例１］
図１は本発明の実施例１の主走査方向の要部断面図（主走査断面図）、図２Ａは本発明の実施例１の副走査方向の要部断面図（副走査断面図）、図２Ｂは図２Ａの一部分の拡大説明図である。
【００２７】
尚、以下の説明において、主走査方向（Ｙ方向）とは偏向手段の回転軸及び結像光学系の光軸（Ｘ方向）に垂直な方向（偏向手段で光束が偏向反射（偏向走査）される方向）である。副走査方向（Ｚ方向）とは偏向手段の回転軸と平行な方向である。主走査断面とは結像光学系の光軸と主走査方向とを含む平面である。副走査断面とは結像光学系の光軸を含み主走査断面に垂直な断面である。
【００２８】
本実施例の画像形成装置は偏向手段としての光偏向器（ポリゴンミラー）５を挟み対向配置された結像光学系１５ａ，１５ｂを複数有し、各々の結像光学系１５ａ，１５ｂへ２本の光束を入射させて１つの光偏向器５により同時に４本の光束を偏向反射する。そして４本の光束を各々に対応した被走査面としての感光ドラム面８ａ,８ｂ,８ｃ,８ｄに導光し、該感光ドラム面８ａ,８ｂ,８ｃ,８ｄ上を光走査するタンデム型の画像形成装置である。
【００２９】
図中、Ｓ１，Ｓ２は各々第１、第２の光走査装置（以下、「ステーション」または「走査光学系」とも称す。）である。本実施例の画像形成装置は光走査装置を複数有している。
【００３０】
以下、第１、第２の光走査装置Ｓ１，Ｓ２の各部材については第１の光走査装置Ｓ１を中心に述べる。そして第２の光走査装置Ｓ２の各部材のうち第１の光走査装置Ｓ１と同じ部材については括弧を付して示す。
【００３１】
第１（第２）の光走査装置Ｓ１（Ｓ２）は、各々光源手段１ａ，１ｃ（１ｂ，１ｄ）からの光束を規制する開口絞り２ａ，２ｃ（２ｂ，２ｄ）有している。さらに開口絞り２ａ，２ｃ（２ｂ，２ｄ）で規制された光束を平行光束に変換するコリメータレンズ３ａ，３ｃ（３ｂ，３ｄ）を有している。尚、光源手段１ａ，１ｃは１つの光源ユニットを形成している。
【００３２】
さらに主走査方向に長い線像として結像させるシリンドリカルレンズ４と、偏向手段としての光偏向器５とを有している。さらに光偏向器５で偏向反射された光束を被走査面としての感光ドラム面８ａ，８ｃ（８ｂ，８ｄ）にスポットに形成する結像光学系１５ａ（１５ｂ）を有している。
【００３３】
本実施例においては第１、第２の光走査装置Ｓ１，Ｓ２が共通の光偏向器５を併用している。また第１、第２の光走査装置Ｓ１，Ｓ２は、光偏向器５の回転軸を含み副走査方向に平行な平面(ＸＺ面)に対して対称に配置され、互いに異なる偏向面で偏向反射された光束を用いている。
【００３４】
上記第１、第２の光走査装置Ｓ１，Ｓ２において、光源手段１ａ，１ｃ・１ｂ，１ｄは各々半導体レーザより成っている。開口絞り２ａ，２ｃ・２ｂ，２ｄは各々通過した光束のビーム形状を成形している。コリメータレンズ３ａ，３ｃ・３ｂ，３ｄは光源手段１ａ，１ｃ・１ｂ，１ｄから出射された光束を平行光束（もしくは発散光束もしくは収束光束）に変換している。シリンドリカルレンズ４は副走査方向（副走査断面内）のみに特定の屈折力(パワー)を有している。
【００３５】
尚、光源手段１ａ，１ｃ（１ｂ，１ｄ）、開口絞り２ａ，２ｃ（２ｂ，２ｄ）、コリメータレンズ３ａ，３ｃ（３ｂ，３ｄ）、シリンドリカルレンズ４の各要素は入射光学系ＬＡ（ＬＢ）の一要素を構成している。
【００３６】
光偏向器５は、偏向面数が４面より成る回転多面鏡（ポリゴンミラー）より成り、モーターの駆動手段（不図示）により図中矢印Ａ方向に一定速度で回転している。本実施例においては上記の如く第１、第２の光走査装置Ｓ１，Ｓ２がこの光偏向器５を併用しており、かつ第１、第２の光走査装置Ｓ１，Ｓ２は、該光偏向器５の異なった偏向面５ａ，５ｂで偏向反射した光束を用いている。
【００３７】
１５ａ（１５ｂ）は集光機能とｆθ特性とを有する結像光学系（ｆθレンズ系）であり、主走査及び副走査断面内で正の屈折力（パワー）を有する第１、第２の結像レンズ（光学素子）６ａ，７ａ（６ｂ，７ｂ）より成っている。結像光学系１５ａ（１５ｂ）は光偏向器５により偏向反射された２本の光束を対応する被走査面８ａ，８ｃ（８ｂ，８ｄ）上にスポット状に結像させている。また結像光学系１５ａ（１５ｂ）は副走査断面内において光偏向器５の偏向面５ａ（５ｂ）と被走査面（被走査面上）８ａ，８ｃ（８ｂ，８ｄ）との間を共役関係にすることにより、面倒れ補償を行っている。
【００３８】
本実施例における第１の結像レンズ６ａ（６ｂ）は光偏向器５と後述する遮光板(上側及び下側の遮光板)との間の光路中に配置されており、主走査方向にのみ屈折力（パワー）を有し、副走査方向の屈折力は０（ノンパワー）である。
【００３９】
ここで屈折力が０であることは、実質的に０であれば良く、結像光学系１５ａ（１５ｂ）の主走査方向での屈折力の１／５０以下であれば良い。
【００４０】
１０ａＵ（１０ｂＵ）は遮光部材としての遮光板であり、結像光学系内を通過する有効光束の副走査方向の上側、つまり副走査断面内において偏向面５ａの偏向点を含む法線を挟んで反感光ドラム側に設けられている。かつ遮光板１０ａＵ（１０ｂＵ）は軸上偏向点Ｏから距離ＬＵ[mm]離れた位置に主走査断面に垂直、かつ主走査方向と平行となるように配置されており、結像光学系１５ａ（１５ｂ）内で発生するゴースト光を遮光している。以下、この遮光板１０ａＵ（１０ｂＵ）を上側の遮光板（上側遮光板）とも称す。
【００４１】
１０ａＬ（１０ｂＬ）は遮光部材としての遮光板であり、結像光学系内を通過する有効光束の副走査方向の下側、つまり副走査断面内において偏向面５ａの偏向点を含む法線を挟んで感光ドラム側に設けられている。かつ遮光板１０ａＬ（１０ｂＬ）は軸上偏向点Ｏから距離ＬＬ[mm]離れた位置に主走査断面に垂直、かつ主走査方向と平行となるように配置されており、結像光学系１５ａ（１５ｂ）内で発生するゴースト光を遮光している。以下、この遮光板１０ａＬ（１０ｂＬ）を下側の遮光板（下側遮光板）とも称す。
【００４２】
上側、下側の遮光板１０ａＵ，１０ａＬ（１０ｂＵ，１０ｂＬ）は、各々被走査面８ａ，８ｃ（８ｂ，８ｄ）上の有効走査領域の全域において、光偏向器５からの偏向反射される有効光束を遮光しないような形状より成っている。
【００４３】
本実施例においては上側、下側の遮光板１０ａＵ，１０ａＬ（１０ｂＵ，１０ｂＬ）の副走査方向の端部を、各々主走査方向の位置に応じて、副走査方向の高さが変化する湾曲形状で形成している。ここで主走査方向に対して結像光学系１５ａ（１５ｂ）の光軸との交点を中心とする。このとき湾曲形状は、中心から周辺部に行くに連れて（軸外に向うに従い）次のとおりである。軸上偏向点Ｏを含む光偏向器５の回転軸に垂直な平面（ＸＹ平面）と、遮光板（上側、下側の遮光板１０ａＵ，１０ａＬ（１０ｂＵ，１０ｂＬ））の副走査方向の端部との間隔が大きくなる方向に湾曲している。
【００４４】
また上側、下側の遮光板１０ａＵ、１０ａＬ（１０ｂＵ、１０ｂＬ）は各々主走査方向において、平面形状（直線形状）より成っている。
【００４５】
２０ａ,２１ａ,２２ａ（２０ｂ,２１ｂ,２２ｂ）は各々光線分離手段としての反射ミラーであり、結像光学系１５ａ（１５ｂ）を通過した光束を対応する感光ドラム面８ａ,８ｃ（８ｂ,８ｄ）側へ折り返している。
【００４６】
本実施例においては、まず第１の光走査装置Ｓ１において、画像情報に応じて光源手段１ａ、１ｃから光変調され出射した２本の光束が開口絞り２a、２ｃを通過（一部遮光される）する。そして開口絞り２a、２ｃを通過した２本の光束はコリメータレンズ３a、３ｃにより平行光束に変換され、シリンドリカルレンズ４に入射する。シリンドリカルレンズ４に入射した光束のうち主走査断面内においてはそのままの状態で出射する。また副走査断面内においては収束して光偏向器５の偏向面５ａに対し互いに異なる角度をもって入射（斜入射）し、線像（主走査方向に長手の線像）として結像する。
【００４７】
そして光偏向器５の偏向面５ａで偏向反射された２本の光束は結像光学系１５ａにより対応する反射ミラー２０ａ,２１ａ,２２ａを介して感光ドラム面８a、８ｃ上にスポット状に結像される。そして光偏向器５を矢印Ａ方向に回転させることによって、感光ドラム面８a、８ｃ上を矢印Ｂ方向（主走査方向）に等速度で光走査している。これにより記録媒体である感光ドラム面８a、８ｃ上に画像記録を行っている。
【００４８】
第２の光走査装置Ｓ２においては、光源手段１ｂ、１ｄから出射した２本の光束が第１の光走査装置Ｓ１の入射方向と同一方向から光偏向器５の偏向面５ｂに対し互いに異なる角度をもって入射（斜入射）する。そして偏向面５ｂで偏向反射された２本の光束が結像光学系１５ｂにより対応する反射ミラー２０ｂ,２１ｂ,２２ｂを介して感光ドラム面８ｂ、８ｄ上にスポット状に結像され、光走査される。
【００４９】
このように本実施例では４つの感光ドラム面８ａ,８ｂ,８ｃ,８ｄ上に各々１本ずつの走査線を形成し、画像記録を行っている。
【００５０】
図３は図１に示した第１の光走査装置Ｓ１の入射光学系ＬＡの副走査断面図である。図３において図１に示した要素と同一要素には同符番を付している。尚、第２の光走査装置Ｓ２の入射光学系ＬＢの構成及び光学的作用は第１の光走査装置Ｓ１の入射光学系ＬＡと同一である。
【００５１】
図３に示すように入射光学系ＬＡ（ＬＢ）は、図面上、上下に２つ配置されており、副走査断面内において、偏向面５ａ（５ｂ）に該入射光学系ＬＡ（ＬＢ）からの光束をそれぞれ法線５ｃに対し上方向斜め、下方向斜めから入射（斜入射）させている。偏向面５ａ（５ｂ）に斜入射した２本の光束は光偏向器５によってそれぞれ図面上、上方向、下方向にコニカルスキャンされる。そして上方向に反射された光束（上側斜入射光束）と下方向に反射された光束（下側斜入射光束）は同一の第１の結像レンズ６ａ（６ｂ）の上側、下側を通過して、各々対応する反射ミラー２０ａ,２１ａ,２２ａ（２０ｂ,２１ｂ,２２ｂ）によって反射される。そして反射された２本の光束は２つの異なる感光ドラム面８ａ,８ｃ（８ｂ,８ｄ）上にそれぞれ結像スポットとして走査される。
【００５２】
このように本実施例においては第１、第２の光走査装置Ｓ１、Ｓ２の入射光学系ＬＡ、ＬＢを斜入射光学系、及び第１、第２の光走査装置Ｓ１、Ｓ２を対向配置することで光学部品を共有化し、装置全体をコンパクトにしている。
【００５３】
しかしながら、このような対向配置した第１、第２の光走査装置Ｓ１、Ｓ２を用いた画像形成装置においては、第１、第２の光走査装置Ｓ１、Ｓ２内で発生したゴースト光が被走査面８ａ,８ｃ，８ｂ,８ｄ上に入射してしまう。この結果、画像を劣化させてしまうという問題点がある。
【００５４】
図４(Ａ)，(Ｂ)，(Ｃ)は各々光走査装置内で発生するゴースト光の一例を表す説明図である。図４(Ａ)，(Ｂ)，(Ｃ)において図２Ｂに示した要素と同一要素には同符番を付している。
【００５５】
図４(Ａ)，(Ｂ)，(Ｃ)は各々対向配置した第１、第２の光走査装置Ｓ１、Ｓ２の主要部分を表した副走査断面図であり、対面反射ゴーストと呼ばれるゴースト光の発生原理を示している。
【００５６】
つまり図４(Ａ)においては光偏向器５により偏向反射された光束が、第１の結像レンズ６ｂを通過する際、光束の一部が該第１の結像レンズ６ｂを通過せずに第一面（入射面）６ｂ１で反射されている。図４(Ｂ)においては光偏向器５により偏向反射された光束が、第１の結像レンズ６ａを通過する際、光束の一部が第２面(出射面)６ａ２で反射されている。図４(Ｃ)においては光偏向器５の偏向面５ａに入射する光束の一部が該偏向面５ａで反射されている。
【００５７】
この各面で反射された光束は対面反射ゴースト光と呼ばれており、第２の光走査装置Ｓ２からのゴースト光は光偏向器５に対して対向配置された右側の第１の光走査装置Ｓ１の光路内に入射される。この対面反射ゴースト光が被走査面８ａ，８ｃに到達してしまうと、形成された画像にスジや色むらが生じるという問題点がある。
【００５８】
そこで本実施例においては結像光学系１５ａ（１５ｂ）中に、この対面反射ゴーストを遮光するための上側、下側の遮光板１０ａＵ，１０ａＬ（１０ｂＵ，１０ｂＬ）を設けている。上側の遮光板（上側遮光部材）１０ａＵ（１０ｂＵ）は光偏向器５の図面上、上側を抜けてくる対面反射ゴースト光を遮光し、下側の遮光板（下側遮光部材）１０ａＬ（１０ｂＬ）は光偏向器５の図面上、下側を抜けてくる対面反射ゴーストを遮光している。
【００５９】
ここで、上側、下側の遮光板１０ａＵ，１０ａＬ（１０ｂＵ，１０ｂＬ）の形状について図５Ａ、Ｂを用いて説明する。
【００６０】
図５Ａ、Ｂは各々本実施例において結像光学系の光軸方向から見たときの遮光板上での画像形成に使用する有効光束の通過領域（走査軌跡)（実線）と、ゴースト光の通過領域（点線）と、本実施例の遮光板の副走査方向の端部形状を表したグラフ（説明図）である。
【００６１】
図５Ａは有効光束の副走査方向の上側に上側の遮光板１０ａＵ（１０ｂＵ）を配置したときの説明図、図５Ｂは有効光束の副走査方向の下側に下側の遮光板１０ａＬ（１０ｂＬ）を配置したときの説明図である。
【００６２】
図５Ａ、Ｂにおいてグラフ中の横軸は、遮光板上の主走査方向の位置Ｙ(mm)であり、主走査方向と一致しており、Y=0が結像光学系１５ａ（１５ｂ）の光軸と遮光板との交点である。本実施例においては、軸上偏向点Ｏは結像光学系１５ａ（１５ｂ）の光軸の延長線上にあるため、グラフ中のY=0の位置と一致する。またグラフ中の縦軸は、副走査方向の高さＺ(mm)であり、軸上偏向点Ｏを含み光偏向器５の回転軸に垂直な平面（ＸＹ面）からの副走査方向の高さを表している。
【００６３】
図５Ａ、Ｂから分かるようにゴースト光の通過領域と有効光束の通過領域（走査軌跡）は非常に近接している。さらに本実施例は斜入射光学系であるため、有効光束はコニカルスキャンしており、有効光束の走査軌跡は主走査方向において結像光学系１５ａ（１５ｂ）の光軸から周辺へいくに連れて高くなるように湾曲している。
【００６４】
このように有効光束の走査軌跡が湾曲している場合は、副走査方向の端部が直線形状である従来の遮光板91では、十分にゴースト光を遮光することができなかった。以下に前述した図１１Ａ、Ｂを用いてそれを説明する。尚、図１１Ａ、Ｂは各々本実施例との比較の為に、従来の遮光板91を本実施例に用いた場合をも示している。
【００６５】
従来の遮光板91は副走査方向の端部が直線形状の平板であったため、図１１Ａ、Ｂに示すように、遮光板91の端部は主走査方向に延びる直線となる。
【００６６】
このとき遮光板91で有効光束をケラないようにするためには、有効光束が通過する最も高い位置、つまり主走査方向の周辺部での有効光束の通過領域に合わせて遮光板91の端部の高さを設定しなければならなかった。そのため主走査方向の中心位置では必要以上に遮光板91の端部が図面上、上方に配置され、ゴースト光を十分に遮光でできなかった。
【００６７】
そこで本実施例は有効光束の走査軌跡に沿わせて、上側、下側の遮光板１０ａＵ、１０ａＬ（１０ｂＵ、１０ｂＬ）の端部形状を湾曲させている。
【００６８】
つまり本実施例においては図５Ａ、Ｂから分かるように上側、下側の遮光板１０ａＵ、１０ａＬ（１０ｂＵ、１０ｂＬ）の端部形状を各々主走査方向の中央から周辺に向かうに連れて副走査方向の高さＺが高くなる方向に湾曲させている。
【００６９】
図６Ａは上側の遮光板１０ａＵ（１０ｂＵ）の形状を示す説明図、図６Ｂは下側の遮光板１０ａＬ（１０ｂＬ）の形状を示す説明図である。
【００７０】
本実施例においては、遮光板（上側、下側の遮光板１０ａＵ、１０ａＬ（１０ｂＵ、１０ｂＬ））上の任意の主走査方向の位置をＹ[mm]（結像光学系の光軸と遮光板との交点をY=0とする）とする。さらに任意の主走査方向の位置Ｙでの、軸上偏向点Ｏを含む光偏向器５の回転軸に垂直な平面（ＸＹ平面）と、遮光板（上側、下側の遮光板１０ａＵ、１０ａＬ（１０ｂＵ、１０ｂＬ））の副走査方向の端部との間隔をｈ（Y）[mm]とする。さらに主走査方向の位置Y=0での間隔をｈ（0）[mm]とする。
【００７１】
さらに、間隔ｈ（0）に対する間隔ｈ（Y）の差分を遮光板（上側、下側の遮光板１０ａＵ、１０ａＬ（１０ｂＵ、１０ｂＬ））の湾曲量Δｈ（Y）と定義する。さらに副走査方向における光軸の斜め入射角度をα[rad]（光偏向器５の回転軸に垂直な平面と偏向面に入射する光線とのなす角度）とする。さらに平面内（ＸＺ面内）において軸上偏向点Ｏからの遮光板（上側、下側の遮光板１０ａＵ、１０ａＬ（１０ｂＵ、１０ｂＬ））までの距離をＬ（図２ＢにおいてＬＵまたはＬＬに相当）[mm]とする。そのとき遮光板（上側、下側の遮光板１０ａＵ、１０ａＬ（１０ｂＵ、１０ｂＬ））の湾曲量Δｈ（Y）は、有効走査領域の全域で
【００７２】
【数１】
2010224552.tif 000003
【００７３】
なる条件式を満足するように設定されている。
【００７４】
上記条件式(1)において遮光板（上側、下側の遮光板１０ａＵ、１０ａＬ（１０ｂＵ、１０ｂＬ））の湾曲量Δｈ（Y）を有効走査領域の全域で条件式(1)を満たすように設定することにより有効光束をケラずに、かつ十分にゴースト光を遮光することができる。
【００７５】
以下に条件式（1）を満たせば、有効光束をケラずに、かつ十分にゴースト光を遮光できる理由を説明する。
【００７６】
副走査方向における光軸の斜め入射角度を上記の如くα[rad]、主走査断面内において走査光束と結像光学系１５ａ（１５ｂ）の光軸とのなす角度を任意の走査角度θ[rad]、軸上偏向点（θ＝0のときの偏向点）を点Ｏとする。さらに任意の走査角度θのときの偏向点の軸上偏向点Ｏからのずれ量をΔＸ[mm]とする。
【００７７】
この画像形成装置において、軸上偏向点ＯからＬ（ＬＵまたはＬＬ）[mm]離れた位置に遮光板（上側、下側の遮光板１０ａＵ、１０ａＬ（１０ｂＵ、１０ｂＬ））を主走査断面に垂直、かつ主走査方向と平行となるように配置する。ここで、軸上偏向点Ｏと遮光板（上側、下側の遮光板１０ａＵ、１０ａＬ（１０ｂＵ、１０ｂＬ））との間に何も光学素子が配置されていないとする。
【００７８】
任意の走査角度θのとき、偏向走査された光束が偏向点から遮光板（上側、下側の遮光板１０ａＵ、１０ａＬ（１０ｂＵ、１０ｂＬ））に到達するまでの主走査断面内での距離Ｌ’は、以下のようにθの関数で表せる。
【００７９】
L’（θ）＝L／cos（θ）＋ΔＸ・・・・・・・（3）
ここで、偏向手段に回転多面京（ポリゴンミラー）を使ったときΔＸ≠０となるが、L/cos（θ）に対してずれ量ΔＸは十分小さいので、式（3）は以下のような近似式に置き換えられる。
【００８０】
L’（θ）≒L／cos（θ）・・・・・・・（4）
さらに、走査角度θのとき、光束が遮光板（上側、下側の遮光板１０ａＵ、１０ａＬ（１０ｂＵ、１０ｂＬ））に到達する副走査方向の高さＨ（軸上偏向点Ｏをゼロとする）は、
H（θ）＝L’（θ）×tan（α）・・・・・・・（5）
と表せ、式（5）に式(4)を代入すると、
H（θ）≒L／cos（θ）×tan（α）・・・・・・・（6）
と表せる。
【００８１】
ここで、走査角度θのときに光束が遮光板（上側、下側の遮光板１０ａＵ、１０ａＬ（１０ｂＵ、１０ｂＬ））に到達する主走査方向の位置をＹ[mm]、走査角度θ＝0のときに該遮光板に到達する主走査方向の位置をY=0[mm]とすると、
Y=L×tan（θ）・・・・・・・（7）
となり、変換すると
θ＝ATAN（Y/L）・・・・・・・（8）
となる。
【００８２】
ここで、式（8）を式(6)に代入して
【００８３】
【数２】
2010224552.tif 000004
【００８４】
式(9)で表される光束の上側の遮光板上での走査軌跡Ｒを図７に示す。図７はコニカルスキャンされている光束が上側の遮光板に到達するときの、有効光束の上側の遮光板上での走査軌跡Ｒを表している。
【００８５】
図７よりコニカルスキャンされた光束の上側の遮光板１０ａＵ（１０ｂＵ）上での走査軌跡Ｒは、主走査方向に対して結像光学系の光軸から周辺にいくに連れ、軸上偏向点を含む光偏向器の回転軸に垂直な平面（ＸＹ面）から遠ざかる方向に湾曲している。
【００８６】
ここで図７に示しているように遮光板上の任意の主走査方向Ｙでの光束の走査軌跡Ｒの湾曲量ΔＨ（Y）を、Y=0のときに光束が該遮光板に到達する副走査方向の高さＨ(0)に対する任意の走査角度θのときの副走査方向の高さＨ(Y)と定義する。そうすると湾曲量ΔＨ（Y）は以下のように表せる。
【００８７】
【数３】
2010224552.tif 000005
【００８８】
以上のように、軸上偏向点Ｏと遮光板（上側、下側の遮光板１０ａＵ、１０ａＬ（１０ｂＵ、１０ｂＬ））との間の光路中に何も光学素子がなければ、該遮光板上での有効光束の走査軌跡Ｒは式(12)の近似式で求められる。また軸上偏向点と遮光板（上側、下側の遮光板１０ａＵ、１０ａＬ（１０ｂＵ、１０ｂＬ））との間にレンズやミラーなどの光学素子が配置されていても、それら光学素子の有する副走査方向にパワーが小さければ、湾曲量ΔＨ（Y）への影響は十分小さい。そのため近似式（12）が成り立つ。
【００８９】
本実施例においては、遮光板（上側、下側の遮光板１０ａＵ、１０ａＬ（１０ｂＵ、１０ｂＬ））と光偏向器５との間の光路中に第１の結像レンズ６ａ（６ｂ）が設けられている。しかし、第１の結像レンズ６ａ（６ｂ）は上記の如く主走査方向にのみパワーを有し、副走査方向にノンパワーであるため、光束が第１の結像レンズ６ａ（６ｂ）を通過する前後で副走査方向の角度が殆ど変化しない。よって本実施例においても遮光板（上側、下側の遮光板１０ａＵ、１０ａＬ（１０ｂＵ、１０ｂＬ））上での有効光束の湾曲量は、式（12）で近似される。
【００９０】
本実施例においては、有効光束を遮光せず、かつゴースト光を十分に遮光するために遮光板（上側、下側の遮光板１０ａＵ、１０ａＬ（１０ｂＵ、１０ｂＬ））の副走査方向の端部形状を有効光束の走査軌跡に沿わせるように設定している。
【００９１】
具体的には遮光板（上側、下側の遮光板１０ａＵ、１０ａＬ（１０ｂＵ、１０ｂＬ））の端部形状の湾曲量Δｈ(Y)を、以下の条件式（13）を満たすように設定している。これにより、遮光板（上側、下側の遮光板１０ａＵ、１０ａＬ（１０ｂＵ、１０ｂＬ））の湾曲量を、近似式(12)で求められる有効光束の湾曲量に対して±50％の範囲に収めている。
【００９２】
つまり本実施例では湾曲量Δｈ（Y）と湾曲量ΔＨ（Y）との比率が、下記の条件式（13）を満足するように設定している。
0.5≦Δｈ(Y)／ΔＨ(Y)≦1.5 ・・・・・・・（13）
ここで、式(13)に式(12)を代入すると、以下の条件式(1)が得られる。
【００９３】
【数４】
2010224552.tif 000006
【００９４】
さらにより好適には、遮光板（上側、下側の遮光板１０ａＵ、１０ａＬ（１０ｂＵ、１０ｂＬ））の端部形状の湾曲量Δｈ(Y)を、近似式(12)で求められる有効光束の湾曲量に対して±２０％の範囲に収めるのが良い。つまり、下記の条件式(14)を満たすように遮光板（上側、下側の遮光板１０ａＵ、１０ａＬ（１０ｂＵ、１０ｂＬ））の形状を設定すればよい。
【００９５】
【数５】
2010224552.tif 000007
【００９６】
本実施例の上側の遮光板１０ａＵ（１０ｂＵ）においては、α＝３deg、軸上偏向点Ｏから上側の遮光板１０ａＵ（１０ｂＵ）までの距離ＬＵ＝31mmである。また有効走査領域において、有効光束は上側の遮光板１０ａＵ（１０ｂＵ）上の主走査方向Y=−21mm〜＋21mmの領域を通過し、有効走査領域の全域において、条件式(1)を満たす。ここでY＝19mmのとき、
ΔＨ(Y)＝0.34[mm]、Δｈ(Y)＝0.44[mm]、Δｈ(Y)／ΔＨ(Y)＝1.3
となり、これは条件式(1)を満たす。
【００９７】
また本実施例の下側の遮光板１０ａＬ（１０ｂＬ）においては、α＝３deg、軸上偏向点Ｏから下側の遮光板１０ａＬ（１０ｂＬ）までの距離ＬＬ=26mmである。また有効走査領域において、有効光束は下側の遮光板１０ａＬ（１０ｂＬ）上の主走査方向Y=−19mm〜＋19mmの領域を通過し、有効走査領域の全域において、条件式(1)を満たす。ここでY＝19 mmのとき、
ΔＨ(Y)＝0.33[mm]、Δｈ(Y)＝0.39[mm]、Δｈ(Y)／ΔＨ(Y)＝1.2
となり、これは条件式(1)を満たす。
【００９８】
本実施例においては遮光板（上側、下側の遮光板１０ａＵ、１０ａＬ（１０ｂＵ、１０ｂＬ））の端部形状を簡易にし、該遮光板の成型難易度を下げるために、該遮光板の副走査方向の端部形状を円弧（円弧形状）に設定している。
【００９９】
上側の遮光板１０ａＵ（１０ｂＵ）は、半径500mmの円弧形状で構成しており、走査方向に対して光軸から離れるに連れて、副走査方向の高さが高くなるよう設定している。
【０１００】
下側の遮光板１０ａＬ（１０ｂＬ）は、半径460mmの円弧形状で構成しており、走査方向に対して光軸から離れるに連れて、副走査方向の高さが低くなるよう設定している。
【０１０１】
本実施例においては、有効走査領域の全域で、遮光板（上側、下側の遮光板１０ａＵ、１０ａＬ（１０ｂＵ、１０ｂＬ））の副走査方向の端部と有効光束との空間分離間隔は、全域で０．３ｍｍ以上確保している。また光学部品の取り付け公差などにより有効光束の通過位置がずれた場合でも、遮光板（上側、下側の遮光板１０ａＵ、１０ａＬ（１０ｂＵ、１０ｂＬ））が有効光束をケラないように設定している。
【０１０２】
前記図４(Ａ)，(Ｂ)，(Ｃ)から分かるように、斜入射光学系においては、光偏向器５に対して図面上、右側に走査される有効光束と対面反射ゴーストとの副走査方向の間隔は、光偏向器５に最も近い側で最も大きくなる傾向がある。また光偏向器５から離れるに連れて間隔が狭くなる傾向がある。このため画像形成に用いる有効光束をケラず、かつ確実にゴースト光のみを遮光するには遮光板（上側、下側の遮光板１０ａＵ、１０ａＬ（１０ｂＵ、１０ｂＬ））をできるだけ光偏向器５側に配置するのが望ましい。
【０１０３】
一方、遮光板（上側、下側の遮光板１０ａＵ、１０ａＬ（１０ｂＵ、１０ｂＬ））が光偏向器５に近すぎると騒音が大きくなるなどの問題がある。
【０１０４】
そこで本実施例においては、遮光板（上側、下側の遮光板１０ａＵ、１０ａＬ（１０ｂＵ、１０ｂＬ））を第１の結像レンズ６ａ（６ｂ）と第２の結像レンズ７ａ（７ｂ）の間で、かつ配置可能な最も第１の結像レンズ６ａ（６ｂ）に近い位置に配置している。これにより上記の相反する二つの条件を両立させている。
【０１０５】
但し、上側の遮光板１０ａＵ（１０ｂＵ）または下側の遮光板１０ａＬ（１０ｂＬ）またはその両方の遮光板とも光偏向器５と第１の結像レンズ６ａ（６ｂ）との間の光路中に配置しても、条件式(1)を満たしていれば、本発明の効果が十分得られる。
【０１０６】
また本実施例においてはコンパクト化を図るために光走査装置を保持する光学箱と遮光板（上側、下側の遮光板１０ａＵ、１０ａＬ（１０ｂＵ、１０ｂＬ））とを一体成型（モールド成型）にして構成している。
【０１０７】
この際、容易に型抜きできるようにするために遮光板（上側、下側の遮光板１０ａＵ、１０ａＬ（１０ｂＵ、１０ｂＬ））は結像光学系１５ａ（１５ｂ）の光軸方向に対する位置を３ｍｍずらして配置されている。
【０１０８】
尚、本実施例では、光学箱と遮光板（上側、下側の遮光板１０ａＵ、１０ａＬ（１０ｂＵ、１０ｂＬ））を一体成型したが、これに限らず、それぞれ別部材で構成しても良い。
【０１０９】
また本実施例では上側の遮光板１０ａＵ（１０ｂＵ）と下側の遮光板１０ａＬ（１０ｂＬ）を別部材で構成したが、これに限らず、一体成型で構成しても良い。
【０１１０】
また本実施例においては下側の遮光板１０ａＬ（１０ｂＬ）を上側の遮光板１０ａＵ（１０ｂＵ）よりも光偏向器５側に配置したが、これに限らず、上側の遮光板１０ａＵ（１０ｂＵ）を下側の遮光板１０ａＬ（１０ｂＬ）よりも光偏向器５側に配置しても良い。
【０１１１】
また本実施例では結像光学系１５ａ（１５ｂ）を２枚のレンズで構成したが、３枚以上のレンズで構成しても良い。また本実施例では第１の結像レンズ６ａ（６ｂ）を一枚で構成したが、２枚以上のレンズで構成しても良い。
【０１１２】
本実施例においては第１の結像レンズ６ａ（６ｂ）をその副走査方向の屈折力がノンパワー（第１面の副走査方向の曲率半径R=-1000mm、第２面の副走査方向の曲率半径R=-1000mm）、主走査方向の形状が非円弧のトーリックレンズで構成している。これにより第１の結像レンズ６ａ（６ｂ）の通過後の有効光束の走査軌跡を複雑にせず、かつｆθ性能を満足させている。
【０１１３】
また本実施例においては、よりコンパクト化を目的として、第１、第２の光走査装置Ｓ１、Ｓ２を対向配置させたが、これに限らず、対向配置させていない画像形成装置に本実施例の遮光板を用いても良い。このような画像形成装置であっても、レンズの内面反射ゴーストや、光偏向器の再反射ゴーストなど、種々のゴースト光を良好に遮光することが可能であり、本発明の効果が十分に得られる。
【０１１４】
また本実施例では遮光板（上側、下側の遮光板１０ａＵ、１０ａＬ（１０ｂＵ、１０ｂＬ））の形状を簡易にするために主走査断面内における形状を直線とした。しかし、これに限らず、条件式(1)さえ満たしていれば、主走査断面内における遮光板（上側、下側の遮光板１０ａＵ、１０ａＬ（１０ｂＵ、１０ｂＬ））の形状を曲線にしても、十分に本発明の効果が得られる。
【０１１５】
また本実施例では遮光板（上側、下側の遮光板１０ａＵ、１０ａＬ（１０ｂＵ、１０ｂＬ））の形状を簡易にし、成型難易度を下げるために主走査断面内において直線形状で構成した。しかし、これに限らず、主走査断面内において湾曲形状としても有効光束の走査軌跡に沿わせるように副走査方向の端部形状を湾曲させていれば、本発明の効果が十分得られる。
【０１１６】
また本実施例では結像光学系１５ａ（１５ｂ）の光軸と軸上偏向点Ｏとが一致するように設定した。しかし、これに限らず、光学特性の左右非対称性を補正するために、結像光学系１５ａ（１５ｂ）の光軸を軸上偏向点Ｏに対して、主走査方向に数ｍｍずらして配置しても良い。たとえば１ｍｍから５ｍｍずらしても良い。
【０１１７】
そのときも遮光板（上側、下側の遮光板１０ａＵ、１０ａＬ（１０ｂＵ、１０ｂＬ））上を通過する光束の主走査方向の幅に対して、結像光学系１５ａ（１５ｂ）の光軸の主走査方向のシフト量は十分小さい。そのため、条件式（1）を満たすように遮光板（上側、下側の遮光板１０ａＵ、１０ａＬ（１０ｂＵ、１０ｂＬ））を設定すれば、問題無いレベルにまで該遮光板の端部形状を有効光束の走査軌跡に沿わせることが可能であり、十分に本発明の効果が得られる。
【０１１８】
次に実施例１における光走査装置の構成を表１に示す。また実施例１における入射光学系の構成（Ｒ(曲率半径)、Ｄ（レンズ間隔及びレンズ厚）、Ｎ（材料の屈折率））を表２に示す。また実施例１におけるシリンドリカルレンズの非球面形状を表３に示す。
【０１１９】
尚、表１，２，３の数値例は第１の光走査装置Ｓ１を示しており、第２の光走査装置Ｓ２の数値例も同一である。
【０１２０】
【表１】
2010224552.tif 000008
【０１２１】
【表２】
2010224552.tif 000009
【０１２２】
【表３】
2010224552.tif 000010
【０１２３】
［実施例２］
図８は本発明の実施例２の主走査方向の要部断面図(主走査断面図)、図９は本発明の実施例２の副走査方向の要部断面図(副走査断面図)である。図８、図９において図１、図２Ａに示した要素と同一要素には同符番を付している。
【０１２４】
本実施例において前述の実施例１と異なる点は遮光板１１の配置及び形状を異ならせて構成したことである。その他の構成及び光学的作用は実施例１と同様であり、これにより同様な効果を得ている。
【０１２５】
つまり、図中、１１は遮光部材としての遮光板であり、上側の遮光板１１Ｕと下側の遮光板１１Ｌとを一体成型にして構成しており、結像光学系１５ａ（１５ｂ）内で発生するゴースト光を遮光している。
【０１２６】
本実施例における遮光板１１は、結像光学系１５ａ内に設けられており、開口部を有しており、被走査面８ａ，８ｂ上の有効走査領域の全域において、光偏向器５からの偏向反射される有効光束を遮光しないような形状より成っている。
【０１２７】
前述の実施例１における上側、下側の遮光板は主走査断面内における形状を直線形状（つまり平板）で形成していた。これに対して本実施例では遮光板１１の形状を主走査断面内において湾曲形状に形成している。これにより遮光板１１の端部形状をコニカルスキャンしている有効光束に沿わせている。
【０１２８】
つまり本実施例では遮光板１１の主走査断面内の形状を結像光学系１５ａの光軸から離れるに従って、光偏向器５に近づく方向に湾曲させることにより、主走査断面内のどの位置でも遮光板１１と軸上偏向点Ｏとの距離を一致させている。
【０１２９】
具体的には遮光板１１の形状を主走査断面内において、軸上偏向点Ｏを円の中心とし、半径R=31mmの円弧（円弧形状）としている。
【０１３０】
また本実施例では遮光板１１の副走査方向の端部形状を直線（直線形状）にしている。
【０１３１】
図１０は本実施例において結像光学系の光軸方向から見たときの遮光板上での画像形成に使用する有効光束の上側、下側の通過領域（走査軌跡)（実線）と、ゴースト光の通過領域（点線）と、本実施例の遮光板の開口形状を表したグラフ（説明図）である。
【０１３２】
図１０において１１は遮光板であり、上側の遮光板１１Ｕと下側の遮光板１１Ｌとを一体成型にして構成している。１２は開口部であり、上側と下側の有効光束を通過させる形状より成っている。
【０１３３】
図１０から分かるように本実施例では遮光板１１の主走査断面内での形状を上記の如く湾曲させたことによって有効光束の通過領域を直線にしている。これにより全走査領域内において、遮光板１１の端部形状は直線のまま有効光束の通過領域に沿わせることができ、有効光束を遮光せずに、かつ十分にゴースト光を遮光できる。
【０１３４】
また本実施例では有効走査領域の全域において、遮光板１１の副走査方向の端部を有効光束に対して０．６ｍｍ離れた高さに設定している。これにより取り付け公差などにより有効光束が副走査方向に変位した場合でも、遮光板１１で有効光束がケラれないようにしている。
【０１３５】
尚、本実施例における遮光板１１は上側遮光板と下側遮光板とを一体成型することにより、コンパクト化を図っているが、これに限らず、上側遮光板と下側遮光板をそれぞれ別部材で構成しても良い。
【０１３６】
また本実施例においては、遮光板１１の成型難易度を下げるために副走査断面内において端部形状を直線に設定しているが、これに限らず、曲線に設定しても十分に本発明の効果が得られる。
【０１３７】
尚、本実施例では遮光板１１を第１の光走査装置Ｓ１に設けたが、これに限らず、第２の光走査装置Ｓ２に設けても良く、あるいは双方の光走査装置Ｓ１，Ｓ２に設けても良い。
【０１３８】
尚、各実施例では複数の光走査装置を有するカラー画像形成装置について説明してきたが、これに限らず、単一の光走査装置から成るモノクロ画像を形成する画像形成装置においても適用可能であることは言うまでもない。
【０１３９】
［画像形成装置］
図１２は、本発明の画像形成装置の実施例を示す副走査方向の要部断面図である。図において、符号１０４は画像形成装置を示す。この画像形成装置１０４には、パーソナルコンピュータ等の外部機器１１７からコードデータDｃが入力する。このコードデータDｃは、装置内のプリンタコントローラ１１１によって、画像データ（ドットデータ）Dｉに変換される。この画像データDｉは、光走査装置１００に入力される。そして、この光走査装置１００からは、画像データDｉに応じて変調された光ビーム１０３が出射され、この光ビーム１０３によって感光ドラム（感光体）１０１の感光体面が主走査方向に走査される。
【０１４０】
静電潜像担持体（感光ドラム）たる感光ドラム１０１は、モーター１１５によって時計廻りに回転させられる。そして、この回転に伴って、感光ドラム１０１の感光体面が光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査装置１００によって走査される光ビーム１０３が照射されるようになっている。
【０１４１】
先に説明したように、光ビーム１０３は、画像データDｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転方向の下流側で感光ドラム１０１に当接するように配設された現像器１０７によってトナー像として現像される。
【０１４２】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図１２において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【０１４３】
以上のようにして、未定着トナー像を転写された用紙１１２はさらに感光ドラム１０１後方（図１２において左側）の定着器へと搬送される。定着器は内部に定着ヒータ（図示せず）を有する定着ローラ１１３とこの定着ローラ１１３に圧接するように配設された加圧ローラ１１４とで構成されている。そして転写部（転写器）から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【０１４４】
図１２においては図示していないが、プリントコントローラ１１１は、先に説明したデータの変換だけでなく、モーター１１５を始め画像形成装置内の各部や、後述する光走査装置内のモーターなどの制御を行う。
【０１４５】
[カラー画像形成装置]
図１３は本発明のカラー画像形成装置の副走査断面図である。
【０１４６】
同図において、６０はカラー画像形成装置、２０１は実施例１又は２に示した構成を有する画像形成装置、２１，２２，２３，２４は各々像担持体としての感光ドラム、３１，３２，３３，３４は各々現像器である。５１は搬送ベルト、５２はパーソナルコンピュータ等の外部機器、５３は外部機器５２から入力した色信号を異なった色の画像データに変換して画像形成装置２０１に入力せしめるプリンタコントローラである。
【０１４７】
同図において、カラー画像形成装置６０には、パーソナルコンピュータ等の外部機器５２からＲ（レッド）、Ｇ（グリーン）、Ｂ（ブルー）の各色信号が入力する。これらの色信号は、装置内のプリンタコントローラ５３によって、Ｃ（シアン），Ｍ（マゼンタ），Ｙ（イエロー）、Ｂ（ブラック）の各画像データ（ドットデータ）に変換される。これらの画像データは、画像形成装置２０１に入力される。そして、画像形成装置２０１からは、各画像データに応じて変調された光束（光ビーム）４１，４２，４３，４４が出射され、これらの光束によって感光ドラム２１，２２，２３，２４の感光面が主走査方向に走査される。
【０１４８】
本実施例におけるカラー画像形成装置は１つの画像形成装置２０１からＣ（シアン），Ｍ（マゼンタ），Ｙ（イエロー）、Ｂ（ブラック）の各色に対応した光束を射出する。そして感光ドラム２１，２２，２３，２４面上に画像信号（画像情報）を記録し、カラー画像を高速に印字するものである。
【０１４９】
本実施例におけるカラー画像形成装置は上述の如く１つの画像形成装置２０１により各々の画像データに基づいた光束を用いて各色の潜像を各々対応する感光ドラム２１，２２，２３，２４面上に形成している。その後、搬送ベルト５１上の記録材に多重転写して１枚のフルカラー画像を形成し、該フルカラー画像をシート部材（紙）に転写している。
【０１５０】
前記外部機器５２としては、例えばＣＣＤ（ラインセンサー）を備えたカラー画像読取装置が用いられても良い。この場合には、このカラー画像読取装置と、カラー画像形成装置６０とで、カラーデジタル複写機が構成される。
【符号の説明】
【０１５１】
１ａ，１ｂ，１ｃ，１ｄ 光源手段  ２ａ，２ｂ，２ｃ，２ｄ アパーチャー(開口絞り)
３ａ，３ｂ，３ｃ，３ｄ コリメータレンズレンズ  ４ シリンドリカルレンズ
５ 偏向手段  ５ａ 偏向面  １５ａ，１５ｂ 結像光学系  ６ａ，６ｂ 第１の結像レンズ
７ａ，７ｂ 第２の結像レンズ  ８ａ，８ｂ，８ｃ，８ｄ 被走査面（感光ドラム面）
２１ａ，２２ａ，２３ａ 光束分離手段（反射ミラー）
２１ｂ，２２ｂ，２３ｂ 光束分離手段（反射ミラー）
１０ａＵ，１０ｂＵ 上側の遮光板  １０ａＬ，１０ｂＬ 下側の遮光板
１１ 遮光板  １２ 開口部  ２０１ 画像形成装置
２１、２２、２３、２４ 像担持体（感光ドラム）  ３１、３２、３３、３４ 現像器
４１、４２、４３、４４ 光ビーム  ７１ 搬送ベルト  ７２ 外部機器
７３ プリンタコントローラ  ６０ カラー画像形成装置  １００ 光走査装置
１０１ 感光ドラム  １０２ 帯電ローラ  １０３ 光ビーム  １０４ 画像形成装置
１０７ 現像装置  １０８ 転写ローラ  １０９ 用紙カセット  １１０ 給紙ローラ
１１１ プリンタコントローラ  １１２ 転写材（用紙）  １１３ 定着ローラ
１１４ 加圧ローラ  １１５ モーター  １１６ 排紙ローラ  １１７ 外部機器
【図１】
2010224552.tif 000011
【図２Ａ】
2010224552.tif 000012
【図２Ｂ】
2010224552.tif 000013
【図３】
2010224552.tif 000014
【図４】
2010224552.tif 000015
【図５Ａ】
2010224552.tif 000016
【図５Ｂ】
2010224552.tif 000017
【図６Ａ】
2010224552.tif 000018
【図６Ｂ】
2010224552.tif 000019
【図７】
2010224552.tif 000020
【図８】
2010224552.tif 000021
【図９】
2010224552.tif 000022
【図１０】
2010224552.tif 000023
【図１１Ａ】
2010224552.tif 000024
【図１１Ｂ】
2010224552.tif 000025
【図１２】
2010224552.tif 000026
【図１３】
2010224552.tif 000027